(57)【要約】  静電容量式タッチセンサは、タッチ感知視認領域を囲む境界領域を有し、かつ複数の辺及び頂点を備える多角形の最外周を有するタッチ感知視認領域を含む。離間した導電性の複数の第１の電極は、タッチ感知視認領域内に配置され、第１の方向に沿って延びる。離間した導電性の複数の第２の電極は、タッチ感知視認領域内に配置され、異なる第２の方向に沿って延びる。複数の第１及び第２の電極をコントローラに電気的に結合するための導電性バスラインが、境界領域内に配置される。少なくとも１つの第１の位置合わせ機能部が、タッチセンサを基板に位置合わせするために、多角形の外周の少なくとも３つの頂点のそれぞれの近傍の境界領域内に配置される。少なくとも１つの第２の位置合わせ機能部は、多角形の外周の少なくとも１つの辺の近傍の、かつ辺に対応する頂点から離れた境界領域内に配置される。
2019506673.tif 000002
【特許請求の範囲】
【請求項１】
第１の方向に沿って延びる離間した導電性の複数の第１の電極と、
異なる第２の方向に沿って延びる離間した導電性の複数の第２の電極と、
複数の導電性バスラインであって、それぞれのバスラインは、第１の電極又は第２の電極に対応し、それぞれのバスラインの第１の端部は、コントローラに接続するための前記タッチセンサの外縁部の接続領域で終端し、それぞれのバスラインの反対側の第２の端部は、少なくとも１つのバスラインを除いて、対応する第１又は第２の電極に終端して接触し、前記少なくとも１つのバスラインの反対側の第２の端部は、対応する第１又は第２の電極の長手方向端部の近傍で終端するが、前記第１又は第２の電極の長手方向端部に接触はしないバスラインと、を含む、静電容量式タッチセンサ。
【請求項２】
前記少なくとも１つのバスラインが、前記複数のバスラインにおける第１のバスライン及び第２のバスラインを備え、前記第１のバスラインの反対側の第２の端部は、対応する第１の電極の長手方向端部の近傍で終端するが、前記第１の電極の長手方向端部に接触はせず、前記第２のバスラインの反対側の第２の端部は、対応する第２の電極の長手方向端部の近傍で終端するが、前記第２の電極の長手方向端部に接触はしない、請求項１に記載の静電容量式タッチセンサ。
【請求項３】
前記対応する第１の電極が、隣接する第１の電極よりも狭く、前記対応する第２の電極が、隣接する第２の電極より狭い、請求項２に記載の静電容量式タッチセンサ。
【請求項４】
異なるそれぞれの第１の方向及び第２の方向に沿って延びる第１の縁部及び第２の縁部を有するフレキシブル基板と、
前記フレキシブル基板上に配置され、前記第１の方向に沿って長手方向に延びる離間した導電性の複数の第１の電極であって、前記基板の前記第１の縁部に最も近い前記第１の電極が、前記第１の電極のその他の電極より狭く、前記第１の縁部に幅方向に延びる、離間した導電性の複数の第１の電極と、
前記フレキシブル基板上に配置され、前記第２の方向に沿って長手方向に延びる離間した導電性の複数の第２の電極と、
を備える静電容量式タッチセンサ。
【請求項５】
前記第１の縁部に最も近い前記第１の電極、及び前記第２の縁部に最も近い前記第２の電極が、前記タッチセンサの不透明な外縁部に配置されている、請求項４に記載の静電容量式タッチセンサ。
【請求項６】
前記基板の前記第２の縁部に最も近い前記第２の電極が、前記第２の電極のその他の電極よりも狭く、前記第２の縁部に幅方向に延びる、請求項４に記載の静電容量式タッチセンサ。
【請求項７】
複数の導電性バスラインを更に備え、それぞれのバスラインは、第１の電極に対応し、前記第１の縁部に最も近い前記第１の電極に対応する前記バスラインは、前記第１の電極の近傍で終端するが、前記第１の電極に接触しない、請求項４に記載の静電容量式タッチセンサ。
【請求項８】
タッチ感知視認領域と、
前記タッチ感知視認領域を囲み、複数の辺と頂点とを備える多角形の最外周を有する境界領域と、
前記タッチ感知視認領域内に配置され、第１の方向に沿って延びる離間した導電性の複数の第１の電極と、
前記タッチ感知視認領域内に配置され、異なる第２の方向に沿って延びる離間した導電性の複数の第２の電極と、
前記複数の第１及び第２の電極をコントローラに電気的に結合するための、前記境界領域内に配置された複数の導電性バスラインと、
前記タッチセンサを基板に位置合わせするための、前記境界領域内にあって前記多角形外周の少なくとも３つの頂点それぞれの近傍にある、少なくとも１つの第１の位置合わせ機能部と、
前記境界領域内にあって前記多角形外周の少なくとも１つの辺につきそれぞれの近傍にあり、かつ前記辺に対応する前記頂点から離れている、少なくとも１つの第２の位置合わせ機能部と、
を備える静電容量式タッチセンサ。
【請求項９】
タッチセンサであって、
第１の方向に沿って延びる離間した導電性の複数の第１の電極と、
それぞれの第１の電極の第１の端部を、コントローラに接続するために、前記タッチセンサの外縁部にある第１の接続領域に電気的に接続する、複数の第１の導電性バスラインと、
それぞれの第１の電極の反対側の第２の端部を、コントローラに接続するために、前記タッチセンサの前記外縁部にある異なる第３の接続領域に電気的に接続する、複数の第３の導電性バスラインと、
前記第１の接続領域に接続され、前記第３の接続領域には接続されないフレキシブル回路と、
を備えるタッチセンサを備える静電容量式タッチ感知デバイスであって、前記タッチ感知デバイスは、前記タッチ位置の近傍の結合容量の変化を検出することにより、前記タッチセンサがタッチされた位置を検出するように構成された、静電容量式タッチ感知デバイス。
【請求項１０】
前記タッチセンサは、
異なる第２の方向に沿って延びる離間した導電性の複数の第２の電極と、
それぞれの第２の電極の第１の端部を、コントローラに接続するために、前記タッチセンサの前記外縁部にある、前記第１及び第３の接続領域とは異なる第２の接続領域に電気的に接続する、複数の第２の導電性バスラインと、
それぞれの第２の電極の反対側の第２の端部を、前記コントローラに接続するために、前記タッチセンサの前記外縁部にある、前記第１、第２、及び第３の接続領域とは異なる第４の接続領域に電気的に接続する、複数の第４の導電性バスラインと、
を更に備える、請求項９に記載の静電容量式タッチ感知デバイス。
【請求項１１】
矩形状のより大きいタッチセンサから矩形状のより小さいタッチセンサを製造する方法であって、
矩形状のより大きいタッチセンサを用意する工程と、
前記より大きいタッチセンサの視認領域にわたって延び、第１の切断位置で前記より大きいタッチセンサの、前記より大きいタッチセンサの第１及び第２の頂点で終端する第１の辺に直交する第１の切断線を決定する工程と、
前記より大きいタッチセンサの第１の頂点に、前記より大きいタッチセンサをより大きい基板に位置合わせするように構成された第１の位置合わせ機能部を形成する工程と、
前記第１の切断位置の近傍の前記第１の位置合わせ機能部とは反対側に第２の位置合わせ機能部を形成する工程と、
前記より大きいタッチセンサを前記第１の切断線に沿って複数の切断部分に切断する工程と、
前記第２の位置合わせ機能部を含む前記切断部分をより小さいタッチセンサに形成する工程と、
を含み、前記第２の位置合わせ機能部は、前記より小さいタッチセンサの頂点にあり、前記より小さいタッチセンサをより小さい基板に位置合わせするように構成された、方法。
【請求項１２】
前記第２の位置合わせ機能部を含む前記切断部分を前記より小さいタッチセンサに形成する工程は、
前記より大きいタッチセンサの前記視認領域にわたって延び第２の切断位置で前記より大きいタッチセンサの第２の辺に直交する第２の切断線を決定する工程と、ここで、前記第２の辺は第１の辺に直交し、前記第１の辺は前記より大きいタッチセンサの前記第２及び第３の頂点で終端するものであり、
前記より大きいタッチセンサの第３の頂点に、前記より大きいタッチセンサを前記より大きい基板に位置合わせするように構成された第３の位置合わせ機能部を形成する工程と、
前記第２の切断位置の近傍の前記第３の位置合わせ機能部とは反対側に第４の位置合わせ機能部を形成する工程と、
前記より大きいタッチセンサを前記第２の切断線に沿って複数の切断部分に切断する工程と、
前記第２の位置合わせ機能部及び第４の位置合わせ機能部を含む前記切断部分をより小さいタッチセンサに形成する工程と、
を含み、前記第４の位置合わせ機能部は、前記より小さいタッチセンサの頂点にあり、前記より小さいタッチセンサを前記より小さい基板に位置合わせするように構成された、請求項１１に記載の方法。
【発明の詳細な説明】
【技術分野】
【０００１】
本開示は、概して、タッチセンサ、並びに関連するプロセス及びシステムに関する。
【背景技術】
【０００２】
タッチ感知デバイスは、機械的なボタン、キーパッド、キーボード、及びポインティングデバイスの必要性を減らす又はなくすことにより、ユーザに電子システム及びディスプレイとの利便性の高いインターフェースを提供する。例えば、ユーザは、アイコンによって特定される場所でディスプレイ上のタッチスクリーンをタッチするだけで、一連の複雑な命令を実行することができる。
【０００３】
投影型静電容量式タッチ感知デバイスは、多くの用途で良好に機能することが見出されている。多くのタッチ感知デバイスでは、センサ内の導電体がユーザの指などの導電性のタッチ手段に容量結合されると、入力が感知される。一般に、２つの導電性の部材が実際に接触することなく互いに近接すると、それらの間に静電容量が形成される。容量式タッチ感知デバイスの場合には、指などの物体がタッチ感知面に近づくと、物体と、この物体にごく近接している感知点との間にわずかな静電容量が形成される。感知回路は、感知点における静電容量の変化を検出することにより、タッチの位置を判定することができる。
【発明の概要】
【０００４】
いくつかの実施形態によれば、静電容量式タッチセンサは、第１の方向に沿って延びる離間した導電性の複数の第１の電極と、異なる第２の方向に沿って延びる離間した導電性の複数の第２の電極とを含む。タッチセンサは、複数の導電性バスラインを含む。各バスラインは、第１又は第２の電極に対応する。各バスラインの第１の端部は、コントローラに接続するためのタッチセンサの外縁部の接続領域で終端する。少なくとも１つのバスライン以外のそれぞれのバスラインの反対側の第２の端部は、対応する第１の電極又は第２の電極に終端して接触する。少なくとも１つのバスラインの反対側の第２の端部は、対応する第１又は第２の電極の長手方向端部の近くで終端するが、それと接触しない。
【０００５】
いくつかの実施形態によれば、静電容量式タッチセンサは、異なる第１及び第２の方向に沿って延びる第１及び第２の縁部を有するフレキシブル基板を備える。離間した導電性の複数の第１の電極は、フレキシブル基板上に配置され、第１の方向に沿って長手方向に延びる。基板の第１の縁部に最も近い第１の電極は、第１の電極のその他の電極よりも狭く、第１の縁部に幅方向に延びる。離間した導電性の複数の第２の電極は、フレキシブル基板上に配置され、第２の方向に沿って長手方向に延びる。
【０００６】
一部の実施形態において、静電容量式タッチセンサは、タッチ感知視認領域を囲む境界領域を有し、かつ複数の辺及び頂点を備える最外部の多角形の外周を有するタッチ感知視認領域を含む。離間した導電性の複数の第１の電極は、タッチ感知視認領域内に配置され、第１の方向に沿って延びる。離間した導電性の複数の第２の電極は、タッチ感知視認領域内に配置され、異なる第２の方向に沿って延びる。複数の第１及び第２の電極をコントローラに電気的に結合するための複数の導電性バスラインが、境界領域内に配置される。少なくとも１つの第１の位置合わせ機能部（feature）が、タッチセンサを基板に位置合わせするために、多角形外周の少なくとも３つの頂点のそれぞれの近傍の境界領域内に配置される。少なくとも１つの第２の位置合わせ機能部は、多角形外周の少なくとも１つの辺のそれぞれの近傍の、かつ辺に対応する頂点から離れた境界領域内に配置される。
【０００７】
いくつかの実施形態によれば、静電容量式タッチ感知デバイスは、第１の方向に沿って延びる離間した導電性の複数の第１の電極を備えるタッチセンサを含む。導電性の複数の第１のバスラインが、それぞれの第１の電極の第１の端部を、コントローラに接続するためのタッチセンサの外縁部の第１の接続領域に電気的に接続する。導電性の複数の第３のバスラインが、それぞれの第１の電極の反対側の第２の端部を、コントローラに接続するためのタッチセンサの外縁部の異なる第３の接続領域に電気的に接続する。タッチ感知デバイスは、第３の接続領域とは別の第１の接続領域に接続されたフレキシブル回路を含む。タッチ感知デバイスは、タッチ位置の近傍の結合容量の変化を検出することにより、タッチセンサに加えられたタッチの位置を検出するように構成されている。
【０００８】
いくつかの実施態様は、矩形状のより大きいタッチセンサから矩形状のより小さいタッチセンサを製造する方法を対象としている。より大きいタッチセンサの視認領域にわたって延び、第１の切断位置でより大きいタッチセンサの第１の辺に直交する第１の切断線が、決定される。第１の辺は、より大きいタッチセンサの第１及び第２の頂点で終端する。第１の位置合わせ機能部が、より大きいタッチセンサの第１の頂点に形成される。第１の位置合わせ機能部は、より大きいタッチセンサをより大きい基板に位置合わせするように構成される。第２の位置合わせ機能部は、第１の位置合わせ機能部の反対側の第１の切断位置の近傍に形成される。より大きいセンサは、第１の切断線に沿って複数の切断部分に切断される。第２の位置合わせ機能部を備える切断部分は、より小さいタッチセンサに形成される。第２の位置合わせ機能部は、より小さいタッチセンサの頂点にあり、より小さいタッチセンサをより小さい基板に位置合わせするよう構成される。
【０００９】
本出願の上記及びその他の態様は、以下の「発明を実施するための形態」から明らかになるであろう。しかしながら、上記概要は、いかなる場合も請求の主題の限定として解釈されるべきではなく、そのような主題は、添付の特許請求の範囲によってのみ規定される。
【図面の簡単な説明】
【００１０】
【図１】いくつかの実施形態に係る、位置合わせ機能部を含むフルサイズのタッチセンサの平面図である。
【図２】いくつかの実施形態に係る、図１のタッチセンサと基板との位置合わせを示す断面図である。
【図３】いくつかの実施形態に係る、矩形状のより大きいタッチセンサから矩形状のより小さいタッチセンサを製造するプロセスを示す流れ図である。
【図４Ａ】いくつかの実施形態に係る、切り詰めたタッチセンサの平面図を示す。
【図４Ｂ】図４Ａのタッチセンサの一部分のより詳細な図である。
【図５】いくつかの実施形態に係る、金属メッシュを備える第１及び第２の電極を示す。
【図６】いくつかの実施形態に係る、切り詰めたタッチセンサの平面図を示す。  これらの図は、必ずしも一定の比率の縮尺ではない。図中で使用される同様の数字は、同様の構成要素を指す。しかしながら、所与の図中での、ある構成要素を指すある数字の使用は、別の図中の同じ数字が付された構成要素を限定することを意図するものではない点が理解されるであろう。
【発明を実施するための形態】
【００１１】
古典的静電容量式タッチセンサは、特定のサイズのタッチセンサ用に特に設計された個別のフィルム図案（例えば、フォトマスク）を使用して設計される。それぞれのフォトマスクを使用して、大きいロール状の画像が作成され、製造工程中に同じサイズ及び形状のいくつかのタッチセンサに分離される。こうした個別フィルム図案は、通常、複数の異なるサイズのタッチセンサには使用できないため、異なるサイズのタッチセンサそれぞれに、別のロール状の画像が必要となる。
【００１２】
異なるサイズの複数のタッチセンサを作製するためには、単一のフォトマスク又はより少ないフォトマスクを使用することがより費用効率がよいかも知れない。本明細書に開示される実施形態は、１つの「フルサイズ」のタッチセンサフィルムを使用して異なるサイズの切り詰めたタッチセンサの完成品を製造することができる（例えば、２４インチのフィルム図案を切り詰めて２３インチ又は２１インチ又は１８インチのタッチセンサなどを製造できる）特徴を盛り込んだマルチサイズタッチセンサを開示する。本明細書に開示される手法は、マルチサイズタッチセンサを製造するために使用される１つ以上のフォトマスクの製造に関連する金型費を低減し、在庫管理を簡略化し（管理するマスタータッチセンサのロール数を減らし）、そして他の有用な特性を提供する。いくつかの実施形態によれば、フルサイズのタッチセンサは、切り詰めたタッチセンサの製造に備える位置合わせ機能部及び／又は他の特徴を含む。いくつかの実施形態によれば、切り詰めたタッチセンサは、フルサイズのタッチセンサに存在しない特徴を含む。
【００１３】
図１は、複数のより小さいサイズのタッチセンサを製造するために切り詰めることができる、フルサイズの静電容量式タッチセンサ１００の平面図である。タッチセンサ１００は、外周１８０（「境界領域」とも呼ばれる）がタッチ感知視認領域１１５を囲む、タッチ感知視認領域１１５を有する。タッチセンサ１００は、複数の辺７００、７１０、７２０、７３０及び頂点１、２、３、４を備える多角形の最外周７４０を有する。図示した例では、タッチセンサ１００は矩形であるが、より多い又はより少ない辺及び頂点を含む矩形以外のタッチセンサ形状も可能であることが理解されるであろう。
【００１４】
タッチセンサ１００は、タッチ感知視認領域１１５内に配置され、図１のｘ方向として示される第１の方向に沿って延びる離間した導電性の複数の第１の電極１１０を含む。タッチセンサ１００は、タッチ感知視認領域１１５内に配置され、図１のｙ方向として示される異なる第２の方向に沿って延びる離間した導電性の複数の第２の電極１２０を含む。いくつかの実施形態では、第１のタッチ感知電極１１０及び／又は第２のタッチ感知電極１２０は、光学的に透明であってもよく、及び／又は金属グリッドを含んでいてもよい。
【００１５】
第１及び第２のタッチ感知電極１１０、１２０は、タッチセンサ１００の外周１８０に配置された複数の導電性バスライン１３０、１４０、１５０、１６０に結合されている。導電性バスライン１３０、１４０、１５０、１６０は、第１及び第２の電極１１０、１２０をコントローラ１９０に結合するように構成される。コントローラ１９０は、第１及び第２の電極１１０、１２０によって感知された、検知された静電容量の変化に基づいて、タッチセンサ１００上のタッチの位置を判定するように構成される。
【００１６】
タッチセンサ１００は、複数のサイズのタッチセンサを作製するために使用することができる複数の組の位置合わせ機能部（本明細書で「基準」とも呼ばれる）を含む。タッチセンサ１００を内蔵するタッチ感知ディスプレイ等のタッチ感知デバイスを作製する際には、図２の断面に示すように、タッチセンサ１００を基板５００に位置合わせする。タッチセンサ１００上に配置された位置合わせ機能部は、タッチセンサ１００の基板５００への位置合わせを容易にする。複数のサイズのタッチセンサの製造を容易にするために、フルサイズタッチセンサ１００は、複数の組の位置合わせ機能部を含むことができる。タッチセンサ１００は、タッチセンサ１００の頂点１、２、３、４にそれぞれ配置された１組の第１の位置合わせ機能部４００、４１０、４２０、４３０を含んでもよい。第１の位置合わせ機能部４００、４１０、４２０、４３０は、第１のサイズのタッチ感知ディスプレイ基板５００への、第１のサイズのタッチセンサ、例えば、フルサイズのタッチセンサの位置合わせを提供する。いくつかの実施形態では、基板５００は、少なくともタッチセンサ１００のタッチ感知視認領域１１５に対応する領域内で光学的に透明であってもよい。基板５００に対するタッチセンサ１００の位置合わせは４つより少ない位置合わせ機能部により実現されてもよく、例えば、基板に対する「フルサイズ」タッチセンサの位置合わせは、頂点のうち、１つ、２つ、又は３つの頂点にそれぞれ配置された、少なくとも１つ、少なくとも２つ、又は少なくとも３つの位置合わせ機能部により十分提供されることが理解されるであろう。
【００１７】
タッチセンサ１００はまた、位置合わせ機能部の追加の組を含むことができる。例えば、タッチセンサ１００は、フルサイズのタッチセンサ１００よりも小さい第２のサイズの切り詰めたタッチセンサの第２のサイズのタッチ感知デバイスの基板への位置合わせを提供する１つ以上の組の第２の位置合わせ機能部４４０、４４２、４４４、４４６を含むことができる。例えば、第２の位置合わせ機能部４４０、４４６、４４２、４４４は、フルサイズのタッチセンサ１００を、より小さいサイズのタッチ感知ディスプレイに組み込むことができる１つ以上のより小さいサイズのタッチセンサに切り詰めることを可能にする。
【００１８】
図１に示す例では、タッチセンサ１００は、４つの第１の位置合わせ機能部４００、４１０、４２０、４３０を含み、それぞれの第１の位置合わせ機能部４００、４１０、４２０、４３０は、多角形外周７４０の４つの頂点１、２、３、４のうちの１つの近傍にそれぞれ配置される。タッチセンサはまた、外縁部領域内の、多角形外周の辺の近傍に配置され、かつ辺に対応する頂点から離れた、少なくとも１つの第２の位置合わせ機能部を含む。例えば、図１に示すように、タッチセンサ１００は、第２の位置合わせ機能部４４０、４４２、４４４、４４６、を含む。第２の位置合わせ機能部４４０、４４２は、辺７００の近傍に、頂点１及び２から離れて配置される。第２の位置合わせ機能部４４４、４４６は、辺７１０の近傍に、頂点２及び３から離れて配置される。
【００１９】
第２の位置合わせ機能部４４０、４４２、４４４、４４６は、タッチセンサ１００の多角形外周７４０のフルサイズよりも小さいサイズを有する切り詰めたタッチセンサの基板に対する位置合わせを提供する。
【００２０】
図１に示すように、いくつかの実施形態では、多角形外周７４０の第１の辺７００は、第１の辺７００の長手方向端部の近傍に配置された少なくとも１つの第１の位置合わせ機能部４００、及び第１の辺７００上の切断位置６１０の近傍の少なくとも１つの第２の位置合わせ機能部４４０を有する。第１の辺７００は、タッチセンサ１００の第１及び第２の頂点１、２で終端する。切断位置６１０は、少なくとも１つの第１の位置合わせ機能部４００と第２の位置合わせ機能部４４０との間にある。タッチセンサ１００は、切断位置６１０で第１の辺７００に垂直かつ交差する切断線６００に沿ってより小さいタッチセンサに切断されるように適応される。いくつかの場合には、第１の切断線６００は、タッチセンサ１００の視認領域１１５にわたって延びることができる。タッチセンサ１００が切断線６００に沿って切断されると、タッチセンサ１００は、第１及び第２の切断部分１００ａ、１００ｂに分割される。第１の切断部分１００ａは、第１の位置合わせ機能部４００を備え、廃棄されてもよい。第２の切断部分１００ｂは、より小さいタッチセンサ１００ｂの頂点１ｂの近傍に第２の位置合わせ機能部４４０を有するより小さいタッチセンサを形成する。第２の位置合わせ機能部４４０は、より小さいタッチセンサ１００ｂを基板、例えば、より小さい基板に位置合わせするように適応される。
【００２１】
いくつかの実施形態では、多角形外周７４０の第２の辺７１０は、第２の辺７１０の長手方向端部の近傍に配置された少なくとも１つの第１の位置合わせ機能部４２０、及び第２の辺７１０の切断位置８１０の近傍の少なくとも１つの第２の位置合わせ機能部４４６を有する。第２の辺７１０は、タッチセンサ１００の第２及び第３の頂点２、３で終端する。切断位置８１０は、少なくとも１つの第１の位置合わせ機能部４１０と第２の位置合わせ機能部４４６との間にある。タッチセンサ１００は、切断位置で第２の辺７１０に垂直にかつ交差して延びる切断線８００に沿ってより小さいタッチセンサに切断されるように適応される。第２の切断線８００は、タッチセンサ１００の視認領域１１５にわたって延びることができる。タッチセンサ１００が切断線８００に沿って切断されると、タッチセンサ１００は、第３及び第４の切断部分１００ｃ、１００ｄに分割される。第３の切断部分１００ｃは、少なくとも第１の位置合わせ機能部４１０を備え、廃棄されてもよい。第４の切断部分１００ｄは、より小さいタッチセンサ１００ｄの頂点３ｂの近傍に少なくとも１つの第２の位置合わせ機能部４４６を有するより小さいタッチセンサを形成する。少なくとも１つの第２の位置合わせ機能部４４６は、より小さいタッチセンサ１００ｄをより小さい基板に位置合わせするように適応される。
【００２２】
いくつかの実施形態では、タッチセンサ１００は、最初に、切断線６００、８００のうちの１つに沿って切断され、次いで、切断線８００、６００の他方に沿って切断されてもよい。これにより、一つ又は両方の切断線６００、８００を用いて、より大きいタッチセンサ１００のサイズを、ｘ軸に沿って、ｙ軸に沿って、又はｘ及びｙ軸の両方に沿って縮小することができる。
【００２３】
図５に示すように、バスライン１３１、１５１、１５２は、電極１１１、１２１、１２２に電極の長手方向端部において接続されていてもよい。いくつかの実施形態では、バスラインと電極との間の接続は、バスライン１３１、１５１、１５２の大部分が接続される電極１１１、１２１、１２２の長手方向端部に重ねてルーティングされるように長手方向端部の縁部に形成される。例えば、いくつかの実施形態では、バスライン１３１、１５１、１５２は、バスライン１３１、１５１、１５２が長手方向端部の５０％より多く、７５％より多く、９５％より多くに重ねてルーティングされるように、電極１１１、１２１、１２２に接続される。この接続構成は、その電極を貫いてタッチセンサが切断されたときに、バスラインの電極への接続を切断することに備えるものである。いくつかの実施形態では、バスラインと電極との間の接続は、接続から最も離れた長手方向端部の縁部に形成されてもよい。
【００２４】
図３の流れ図は、いくつかの実施形態に係る、矩形状のより大きいタッチセンサから矩形状のより小さいタッチセンサを製造するプロセスを示す。図３の左側は、第１の軸、例えばｘ軸に沿って矩形状のより大きいタッチセンサのサイズを縮小することを伴う第１のオプションのためのプロセスを示す。図３の右側は、第２の軸、例えばｙ軸に沿って矩形状のより大きいタッチセンサを追加的に縮小することを伴う第２のオプションのための追加のプロセスを示す。
【００２５】
３０１の矩形状のより大きいタッチセンサで開始して、第１の切断線の位置を決定する（３０２）。第１の切断線は、より大きいタッチセンサの視認領域にわたって延び、第１の切断位置において、より大きいタッチセンサの第１の辺に直交することができる。第１の辺は、より大きいタッチセンサの第１及び第２の頂点で終端する。第１の位置合わせ機能部が、より大きいタッチセンサの第１の頂点に形成される（３０３）。第１の位置合わせ機能部は、より大きいタッチセンサをより大きい基板に位置合わせするように構成される。
【００２６】
第２の位置合わせ機能部は、より大きいタッチセンサの第１の辺に沿って、第１の切断位置の近傍であって第１の頂点における第１の位置合わせ機能部の反対側に形成される（３０４）。より大きいタッチセンサは、第１の軸、例えばｙ軸、に沿って位置する第１の切断線に沿って、複数の切断部分に切断される（３０５）。第１の頂点の近傍の第１の位置合わせ機能部を含む第１の切断部分は、廃棄されてもよい。オプション１に従って、第１の辺に沿って配置された第２の位置合わせ機能部を備える第２の切断部分は、より大きいタッチセンサより小さいタッチセンサに形成される（３０６）。第１の辺に沿って配置された第２の位置合わせ機能部は、より小さいタッチセンサの頂点に配置され、より小さいタッチセンサをより小さい基板に位置合わせするように構成される。
【００２７】
オプション２は、より大きいタッチセンサを２つの軸、例えば、ｘ軸及びｙ軸の両方の軸に沿って、切り詰めるプロセスを示す。第１の切断線に垂直な軸、例えば、ｘ軸に沿って位置する第２の切断線が決定される（３１１）。第２の切断線は、より大きいタッチセンサの視認領域にわたって延び、第２の切断位置において、より大きいタッチセンサの第２の辺と直交する。第２の辺は、第１の辺に直交する向きであってもよい。第２の辺は、より大きいタッチセンサの第２及び第３の頂点で終端する。第１の位置合わせ機能部が、より大きいタッチセンサの第３の頂点に形成される（３１２）。第３の頂点の第１の位置合わせ機能部は、より大きいタッチセンサをより大きい基板に位置合わせするように構成される。第２の位置合わせ機能部は、第２の切断位置の近傍の第２の辺に沿って、第３の頂点の第１の位置合わせ機能部の反対側に形成される（３１３）。第１の切断線に沿って切断されたより大きいタッチセンサの部分は、第２の切断線に沿って複数の切断部分に追加して切断される（３１４）。第３の頂点の第１の位置合わせ機能部を含む切断部分は廃棄されてもよい。第１の辺に沿った第２の位置合わせ機能部及び第２の辺に沿った第２の位置合わせ機能部を備える切断部は、より小さいタッチセンサに形成される（３１５）。第２の辺に沿って配置された第２の位置合わせ機能部は、より小さいタッチセンサの頂点に配置され、より小さいタッチセンサをより小さい基板に位置合わせするように構成される。
【００２８】
より大きいタッチセンサを１つ以上の軸に沿ってより小さいタッチセンサに切り詰めた後、より小さいタッチセンサは、より大きいタッチセンサ内に存在しない特徴を含む。上述した第２の位置合わせ機能部は、より小さいタッチセンサを基板、例えば、フレキシブル基板に位置合わせするために使用されてもよい。
【００２９】
いくつかの実施形態によれば、より小さいタッチセンサは、電極をコントローラに接続するバスラインに接続されない、少なくとも１つの電極を含む。図４Ａに関連して説明した実施形態は、ｘ軸及びｙ軸の両方で切断された、より大きいタッチセンサから形成されたより小さいタッチセンサ１０１を対象としている。図４Ｂは、タッチセンサ１０１の一部分のより詳細な図を提供する。図４Ａ及び４Ｂは、２つの軸、ｘ及びｙに沿って切断されたタッチセンサに基づく実施形態の概念を示す。しかし、いくつかの実施形態では、図３に関連して上述したように、切り詰めたタッチセンサは、１つの軸のみに沿って切り詰めてもよいことが理解されるであろう。
【００３０】
再び図４Ａ及び４Ｂに戻って、より大きいタッチセンサは、切断線６００、８００に沿って切断され、切り詰めたサイズのタッチセンサ１０１が形成される。タッチセンサ１０１は、図４Ａ及び４Ｂのｘ方向として示す第１の方向に沿って延びる離間した導電性の複数の第１の電極１１０、１１０ａ、１１０ｂと、図４Ａ及び４Ｂのｙ方向として示す異なる第２の方向に沿って延びる離間した導電性の複数の第２の電極１２０、１２０ａ、１２０ｂとを含む。第１及び第２の方向は、互いに直交してもよいが、いくつかの実施形態では、直交する必要がない。第１及び第２の電極１１０、１１０ａ、１１０ｂ、１２０、１２０ａ、１２０ｂは、光学的に透明であってもよい。
【００３１】
図５に示すように、いくつかの実施形態では、第１及び第２の電極のそれぞれは、金属メッシュ２２０、２３０を備えることができる。図５は、１つの第１の電極１１１及び２つの第２の電極１２１、１２２を示す。
【００３２】
図５に示すように、一部の実施形態では、第１の電極１１１に対応するバスライン１３１は、電極１１１の長手方向端部の縁部１１１ａにおいて第１の電極１１１に電気的に接続している。第２の電極１２１及び１２２にそれぞれ対応するバスライン１５１、１５２は、電極１２１、１２２の長手方向端部の縁部１２１ａ、１２２ａにおいてバスライン１５１、１５２に電気的に接続している。いくつかの実施形態では、バスラインは、接続領域から最も離れた長手方向端部の縁部において電極に接続される。電極の長手方向端部の縁部でバスラインを接続することにより、タッチセンサが電極を貫いて、例えば、電極のほぼ中央を貫いて切り詰められた場合に、切断した電極がタッチ感知のために接続されないよう、電極に接続されたバスラインが切断により切り離されることが確実となる。これにより、タッチ感知に使用するために接続される電極は、実質的に同じ幅を有する。これにより、タッチ位置判定のためのコントローラのプログラミングが単純化される。
【００３３】
図４Ａ及び４Ｂに戻ると、タッチセンサ１０１は、複数の導電性バスライン１３０、１３０ａ、１５０、１５０ａを有する。バスライン１３０、１３０ａ、１５０、１５０ａは、いくつかの実施形態では、金属メッシュを備えることもできる。各バスライン１３０、１３０ａ、１５０、１５０ａは、第１又は第２の電極１１０、１１０ａ、１１０ｂ、１２０、１２０ａ、１２０ｂに対応している。各バスライン１３０ａ、１３０、１５０ａ、１５０の第１の端部は、タッチセンサ１０１の外周１８０ａの接続領域１７０、１７４で終端し、コントローラ１９０に接続されている。外周１８０ａは、タッチセンサ１０１の光学的に透明な視認領域１１５ａを囲む。バスライン１３０ａ、１３０、１５０ａ、１５０を含む外周１８０ａの少なくとも一部分は、光学的に不透明であってもよい。
【００３４】
少なくとも１つのバスライン１３０ａ、１５０ａを除く各バスライン１３０、１５０の反対側の第２の端は、対応する第１又は第２の電極１１０、１１０ｂ、１２０、１２０ｂに終端して接触する。バスライン１３０ａの反対側の第２の端部は、対応する第１の電極１１０ａの長手方向端部の近傍で終端するが、それと接触しない。バスライン１５０ａの反対側の第２の端部は、第２の電極１２０ａの長手方向端部の近傍で終端するが、それと接触しない。対応するバスライン１３０ａの第２の端部に接続されていない第１の電極１１０ａは、対応するバスライン１３０の第２の端部に接続された隣接する第１の電極１１０ｂよりも狭い。対応するバスライン１５０ａの第２の端部に接続されていない対応する第２の電極１２０ａは、対応するバスライン１５０の第２の端部に接続された隣接する第２の電極１２０ｂよりも狭い。
【００３５】
いくつかの実施形態では、第１及び第２の電極１１０、１１０ａ、１１０ｂ、１２０、１２０ａ、１２０ｂは、フレキシブル基板３００上に配置される。切り縮められたバスライン１３０ａに対応する第１の電極１１０ａは、フレキシブル基板３００の第１の縁部１３２に延びる。切り縮められたバスライン１５０ａに対応する第２の電極１２０ａは、フレキシブル基板３００の異なる縁部１３４に延びる。
【００３６】
いくつかの実施形態では、接続領域１７０、１７４のうちの１つ以上におけるバスライン１３０、１５０のうちの１つ以上の第１の端部とコントローラ１９０との間の電気的接続は、接続領域１７０、１７４に取り付けられた１つ以上のフレキシブル回路２１０、２１４を介して行われてもよい。いくつかの実施形態では、もう一つのバスライン１３０、１５０の第１の端部と接続領域１７０、１７４のうちの１つ以上におけるコントローラ１９０との間の電気的接続は、接続領域１７０、１７４においてフレキシブル基板３００と一体化され、フレキシブル基板３００から延びるフレキシブル回路２１０、２１４を介して行われてもよい。
【００３７】
いくつかの実施形態によれば、より大きいタッチセンサ１００が１つ以上の軸に沿ってより小さいタッチセンサ１０１に切断された後で、より小さいタッチセンサ１０１は、フレキシブル基板３００の縁部まで延びる少なくとも１つの電極１１０ａ、１２０ａを含む。図４Ａに示すように、切り詰めたタッチセンサ１０１は、対応する第１及び第２の方向に沿って延びる第１及び第２の縁部１３２、１３４を有するフレキシブル基板を含む。第１及び第２の方向は、図４Ａ及び４Ｂにおいて、それぞれｘ及びｙ方向として表される。フレキシブル基板３００上に配置された離間した導電性の複数の第１の電極１１０、１１０ａ、１１０ｂは、第１の方向に沿って長手方向に延びる。基板３００の第１の縁部１３２に最も近い第１の電極１１０ａは、隣接する第１の電極１１０ｂ及び他の第１の電極１１０よりも狭い。第１の縁部１３２に最も近い電極１１０ａは、第１の縁部１３２に幅方向に延びる。フレキシブル基板３００上に配置された離間した導電性の複数の第２の電極１２０、１２０ａ、１２０ｂは、第２の方向に沿って長手方向に延びる。基板３００の第２の縁部１３４に最も近い第２の電極１２０ａは、隣接する第２の電極１２０ｂ及び他の第２の電極１２０よりも狭い。第２の縁部１３４に最も近い第２の電極１２０ａは、第２の縁部１３４に幅方向に延びる。タッチセンサをタッチ感知ディスプレイ等のタッチ感知デバイスに組み込む際に、第１の縁部１３２に最も近い第１の電極１１０ａ及び／又は第２の縁１３４部に最も近い第２の電極１２０ａのうちの少なくとも１つは、不透明な外縁部のタッチセンサ内に配置される。例えば、タッチセンサの不透明な外縁部は、組み立てられたタッチ感知デバイス、例えば、タッチ感知ディスプレイのベゼルによって覆われてもよい。上述したように、タッチセンサ１０１は、複数の導電性バスライン１３０、１３０ａ  １５０、１５０ａを含み、それぞれのバスライン１３０、１３０ａは、第１の電極１１０、１１０ａ、１１０ｂ、又は第２の電極１２０、１２０ａ、１２０ｂに対応する。第１の縁部１３２に最も近い第１の電極１１０ａに対応するバスライン１３０ａは、第１の電極１１０ａの近傍で終端しているが、それに接触していない。同様に、第２の縁部１３４に最も近い第２の電極１２０ａに対応するバスライン１５０ａは、第２の電極１２０ａの近傍で終端しているが、それに接触していない。
【００３８】
一部の実施形態において、切り詰めたタッチセンサを内蔵するタッチ感知デバイスは、１つの接続領域に接続されるが別の接続領域に接続されないフレキシブル回路を含む。タッチ感知デバイスは、タッチ位置の近傍の結合容量の変化を検出することにより、タッチセンサに加えられたタッチの位置を検出するように構成されている。例えば、図１に示すフルサイズのタッチセンサ１００を考える。フルサイズのタッチセンサ１００は、ｙ軸に沿って延びる第１の切断線６００に沿って切り詰めることなく、ｘ軸に沿って延びる第２の切断線８００に沿ってのみ切断されてもよい。図６に示すように、ｘ軸のみに沿ってタッチセンサ１００を切り詰めることにより、利用されない接続領域１７２、１７６を有するより小さいタッチセンサ１０２となる。
【００３９】
図６を参照して、切り詰めたタッチセンサ１０２を内蔵するタッチ感知デバイス６００は、ｘ方向に沿って延びる離間した導電性の複数の第１の電極１１０、１１０ａ、１１０ｂと、ｙ方向に沿って延びる離間した導電性の複数の第２の電極１２０とを含む。複数の第１の導電性バスライン１３０、１３０ａは、第１の電極１１０、１１０ａ、１１０ｂに対応している。第１のバスライン１３０は、第１の電極１１０、１１０ｂのそれぞれの第１の端部を、コントローラ１９０に接続するためのタッチセンサ１０１の外縁部の第１の接続領域１７０に電気的に接続する。バスライン１３０ａは、切断によって切り縮められ、対応する第１の電極１１０ａには接続されていない。
【００４０】
複数の第３の導電性バスライン１４０、１４０ａは、第１の電極１１０、１１０ａ、１１０ｂに対応している。導電性の複数の第３のバスライン１４０が、それぞれの第１の電極１１０、１１０ａ、１１０ｂの反対側の第２の端部を、コントローラに接続するためのタッチセンサ１０２の外縁部の異なる第３の接続領域１７２に電気的に接続する。バスライン１４０ａは、切断によって切り縮められ、対応する第１の電極１１０ａには接続されていない。フレキシブル回路２１０は、第１の接続領域１７０に接続されているが、第３の接続領域１７２には接続されていない。
【００４１】
いくつかの実施形態では、第１の接続領域１７０に接続されたフレキシブル回路２１０は、第１の接続領域１７０でタッチセンサ１０２に組み付けられる。いくつかの実施形態では、第１の接続領域１７０に接続されたフレキシブル回路２１０は、第１の接続領域１７０でタッチセンサ１０２と一体化され、タッチセンサ１０２から延びる。
【００４２】
複数の第２の導電性バスライン１５０は、第２の電極１２０に対応している。第２のバスライン１５０は、それぞれの第２の電極１２０の第１の端部を、コントローラ１９０に接続するためのタッチセンサ１０２の外縁部の第２の接続領域１７４に電気的に接続する。複数の第４の導電性バスライン１６０は、第２の電極１２０に対応し、コントローラに接続するための第４の接続領域で終端する。フレキシブル回路２１４は、第２の接続領域１７４に接続されるが、第４の接続領域１７６には接続されない。
【００４３】
いくつかの実施形態では、第１の接続領域１７０に接続されたフレキシブル回路２１０は、第１の接続領域１７０でタッチセンサ１０２に組み付けられる。いくつかの実施形態では、第１の接続領域１７０に接続されたフレキシブル回路２１０は、第１の接続領域１７０でタッチセンサ１０２と一体化され、タッチセンサ１０２から延びる。いくつかの実施形態では、第１の接続領域１７０に接続されたフレキシブル回路２１０は、第１の接続領域１７０でタッチセンサ１０２に組み付けられる。同様に、いくつかの実施形態では、第２の接続領域１７４に接続されたフレキシブル回路２１４は、第２の接続領域１７４でタッチセンサ１０２と一体化され、タッチセンサ１０２から延びる。
【００４４】
図６に示すように、第１及び第３の接続領域１７０、１７２は、タッチセンサ１０２の隣接する縁部７００、７４０に沿って配置されてもよい。あるいは、第１及び第３の接続領域は、タッチセンサの同じ縁部又は反対側の縁部に沿って配置されてもよい。いくつかの実装形態によれば、第１の電極１１０、１１０ａ、１１０ｂは、光学的に透明であり、及び／又は、第１及び第２のバスライン１３０、１３０ａ、１４０は、光学的に不透明である。
【００４５】
図６に示すように、第２及び第４の接続領域１７４、１７６は、タッチセンサ１０２の隣接する縁部７００、７４０に沿って配置されてもよい。あるいは、第１及び第３の接続領域は、タッチセンサの同じ縁部又は反対側の縁部に沿って配置されてもよい。いくつかの実装形態によれば、第１の電極１２０は、光学的に透明であり、及び／又は、第２及び第４のバスライン１５０、１６０は、光学的に不透明である。
【００４６】
図６に示すように、第１及び第２の接続領域１７０、１７４は、タッチセンサ１０２の同じ縁部７００に沿って配置されてもよい。あるいは、第１及び第２の接続領域は、タッチセンサの隣接する縁部又は反対側の縁部に沿って配置されてもよい。
【００４７】
本明細書で説明される項目は、以下を含む。
【００４８】
項目１．
第１の方向に沿って延びる離間した導電性の複数の第１の電極と、
異なる第２の方向に沿って延びる離間した導電性の複数の第２の電極と、
複数の導電性バスラインであって、それぞれのバスラインは、第１又は第２の電極に対応し、それぞれのバスラインの第１の端部は、コントローラに接続するためのタッチセンサの外縁部の接続領域で終端し、それぞれのバスラインの反対側の第２の端部は、少なくとも１つのバスラインを除いて、対応する第１又は第２の電極に終端して接触し、少なくとも１つのバスラインの反対側の第２の端部は、対応する第１又は第２の電極の長手方向端部の近傍で終端するが、第１又は第２の電極の長手方向端部に接触はしないバスラインと、を含む、静電容量式タッチセンサ。
【００４９】
項目２．接続領域でのコントローラへのバスラインの第１の端部との間の接続は、接続領域に組み付けられたフレキシブル回路を介して行われる、項目１の静電容量式タッチセンサ。
【００５０】
項目３．接続領域でのコントローラへのバスラインの第１の端部との間の接続は、接続領域でタッチセンサと一体化され、タッチセンサから延びるフレキシブル回路を介して行われる、項目１の静電容量式タッチセンサ。
【００５１】
項目４．それぞれの第１及び第２の電極は、光学的に透明である、項目１から３のいずれかの静電容量式タッチセンサ。
【００５２】
項目５．第１及び第２の方向は、互いに直交する、項目１から４のいずれかの静電容量式タッチセンサ。
【００５３】
項目６．第１及び第２の電極のそれぞれは、金属メッシュを備える、項目１から５のいずれかの静電容量式タッチセンサ。
【００５４】
項目７．それぞれのバスラインは、金属メッシュを備える、項目１から６のいずれかの静電容量式タッチセンサ。
【００５５】
項目８．少なくとも１つのバスラインが、複数のバスラインにおける第１及び第２のバスラインを備え、第１のバスラインの反対側の第２の端部は、対応する第１の電極の長手方向端部の近傍で終端するが、第１の電極の長手方向端部に接触せず、第２のバスラインの反対側の第２の端部は、対応する第２の電極の長手方向端部の近傍で終端するが、第２の電極の長手方向端部に接触しない、項目１から７のいずれかの静電容量式タッチセンサ。
【００５６】
項目９．対応する第１の電極が、隣接する第１の電極よりも狭く、対応する第２の電極が、隣接する第２の電極より狭い、項目８の静電容量式タッチセンサ。
【００５７】
項目１０．第１及び第２の電極が、フレキシブル基板上に配置され、対応する第１の電極が、基板の第１の縁部に延び、対応する第２の電極が、フレキシブル基板の異なる縁部に延びる、項目８の静電容量式タッチセンサ。
【００５８】
項目１１．外周の少なくとも一部分が、光学的に不透明であり、光学的に透明な視認領域を少なくとも部分的に囲む、項目１から１０のいずれかの静電容量式タッチセンサ。
【００５９】
項目１２．
異なるそれぞれの第１及び第２の方向に沿って延びる第１及び第２の縁部を有するフレキシブル基板と、
フレキシブル基板上に配置され、第１の方向に沿って長手方向に延びる離間した導電性の複数の第１の電極であって、基板の第１の縁部に最も近い第１の電極が、第１の電極のその他の電極より狭く、第１の縁部に幅方向に延びる、離間した導電性の複数の第１の電極と、
フレキシブル基板上に配置され、第２の方向に沿って長手方向に延びる離間した導電性の複数の第２の電極と、を備える静電容量式タッチセンサ。
【００６０】
項目１３．第１の縁部に最も近い第１の電極は、タッチセンサの不透明な外周に配置された、項目１２の静電容量式タッチセンサ。
【００６１】
項目１４．基板の第２の縁部に最も近い第２の電極が、第２の電極のその他の電極よりも狭く、第２の縁部に幅方向に延びる、項目１２から１３のいずれかの静電容量式タッチセンサ。
【００６２】
項目１５．第２の縁部に最も近い第２の電極は、タッチセンサの不透明な外周に配置された、項目１２から１４のいずれかの静電容量式タッチセンサ。
【００６３】
項目１６．それぞれの第１及び第２の電極は、光学的に透明である、項目１２から１５のいずれかの静電容量式タッチセンサ。
【００６４】
項目１７．複数の導電性バスラインを更に備え、それぞれのバスラインは、第１の電極に対応し、第１の縁部に最も近い第１の電極に対応するバスラインは、第１の電極の近傍で終端するが、第１の電極に接触しない、項目１２から１６のいずれかの静電容量式タッチセンサ。
【００６５】
項目１８．
タッチ感知視聴領域と、
タッチ感知視認領域を囲み、複数の辺及び頂点を備える多角形の最外周を有する境界領域と、
タッチ感知視認領域内に配置され、第１の方向に沿って延びる離間した導電性の複数の第１の電極と、
タッチ感知視認領域内に配置され、異なる第２の方向に沿って延びる離間した導電性の複数の第２の電極と、
複数の第１及び第２の電極をコントローラに電気的に結合するための、境界領域内に配置された複数の導電性バスラインと、
タッチセンサを基板に位置合わせするための、境界領域内にあって多角形外周の少なくとも３つの頂点それぞれの近傍にある、少なくとも１つの第１の位置合わせ機能部と、
境界領域内にあって多角形外周の少なくとも１つの辺につきそれぞれの近傍にあり、かつ辺に対応する頂点から離れている、少なくとも１つの第２の位置合わせ機能部と、を備える静電容量式タッチセンサ。
【００６６】
項目１９．
境界領域は、４つの辺及び４つの頂点を備える矩形状の最外周を有し、
少なくとも１つの第１の位置合わせ機能部は、多角形外周の各頂点の近傍の境界領域内に配置され、
少なくとも１つの第２の位置合わせ機能部は、多角形外周の隣接する２つの辺のそれぞれの近傍の、かつ辺に対応する頂点から離れた境界領域内に配置された、項目１８の静電容量式タッチセンサ。
【００６７】
項目２０．それぞれの第１及び第２の電極は、光学的に透明である、項目１８から１９のいずれかの静電容量式タッチセンサ。
【００６８】
項目２１．少なくとも１つの第１の位置合わせ機能部が、タッチセンサを基板に位置合わせするためのものであり、基板は、少なくともタッチ感知視認領域に対応する領域において光学的に透明である、項目１８から２０のいずれかの静電容量式タッチセンサ。
【００６９】
項目２２．多角形外周の第１の辺は、第１の辺の長手方向端部の近傍の少なくとも１つの第１の位置合わせ機能部、及び第１の辺上の切断位置の近傍の少なくとも１つの第２の位置合わせ機能部を有し、切断位置は、少なくとも１つの第１の位置合わせ機能部と第２の位置合わせ機能部との間にあり、タッチセンサは、タッチセンサが切断線に沿って切断されると、タッチセンサが第１及び第２の切断部分に分割され、第２の切断部分がより小さいタッチセンサの頂点の近傍の少なくとも第２の位置合わせ機能部を有するより小さいタッチセンサを形成するように、切断位置で第１の辺に垂直かつ交差する切断線に沿ってより小さいサイズのタッチセンサに切断されるように適応され、少なくとも１つの第２の位置合わせ機能部は、より小さいタッチセンサをより小さい基板に位置合わせするように適応された、項目１８から２１のいずれかの静電容量式タッチセンサ。
【００７０】
項目２３．それぞれの導電性バスラインが、バスラインが長手方向端部の大部分に重ねてルーティングされるように、対応する電極の長手方向端部の縁部で対応する第１又は第２の電極に電気的に接続された、項目１８の静電容量式タッチセンサ。
【００７１】
項目２４．
タッチセンサであって、
第１の方向に沿って延びる離間した導電性の複数の第１の電極と、
それぞれの第１の電極の第１の端部を、コントローラに接続するためのタッチセンサの外縁部の第１の接続領域に電気的に接続する、複数の第１の導電性バスラインと、
それぞれの第１の電極の反対側の第２の端部を、コントローラに接続するために、タッチセンサの外縁部にある異なる第３の接続領域に電気的に接続する、複数の第３の導電性バスラインと、
第１の接続領域に接続され、第３の接続領域には接続されないフレキシブル回路と、を備えるタッチセンサを備える静電容量式タッチ感知デバイスであって、タッチ感知デバイスは、タッチ位置の近傍の結合容量の変化を検出することにより、タッチセンサがタッチされた位置を検出するように構成された、静電容量式タッチ感知デバイス。
【００７２】
項目２５．第１の接続領域に接続されたフレキシブル回路が、第１の接続領域でタッチセンサに組み付けられた、項目２４の静電容量式タッチ感知デバイス。
【００７３】
項目２６．第１の接続領域に接続されたフレキシブル回路が、第１の接続領域でタッチ感知デバイスと一体化され、タッチ感知デバイスから延びる、項目２４から２５のいずれかの静電容量式タッチ感知デバイス。
【００７４】
項目２７．第１及び第３の接続領域が、タッチセンサの同じ縁部に沿っている、項目２４から２６のいずれかの静電容量式タッチ感知デバイス。
【００７５】
項目２８．第１及び第３の接続領域が、タッチセンサの隣接する縁部に沿っている、項目２４から２６のいずれかの静電容量式タッチ感知デバイス。
【００７６】
項目２９．第１及び第３の接続領域が、タッチセンサの反対側の縁部に沿っている、項目２４から２６のいずれかの静電容量式タッチ感知デバイス。
【００７７】
項目３０．第１の電極が、光学的に透明であり、第１及び第３のバスラインが、光学的に不透明である、項目２４から２９のいずれかの静電容量式タッチ感知デバイス。
【００７８】
項目３１．タッチセンサは、
異なる第２の方向に沿って延びる離間した導電性の複数の第２の電極と、
それぞれの第２の電極の第１の端部を、コントローラに接続するために、タッチセンサの外縁部にある、第１及び第３の接続領域とは異なる第２の接続領域に電気的に接続する、複数の第２の導電性バスラインと、
それぞれの第２の電極の反対側の第２の端部を、コントローラに接続するために、タッチセンサの外縁部の、第１、第２、及び第３の接続領域とは異なる第４の接続領域に電気的に接続する、複数の第４の導電性バスラインと、を更に備える、項目２４から３０のいずれかの静電容量式タッチ感知デバイス。
【００７９】
項目３２．第２及び第４の接続領域が、タッチセンサの同じ縁部に沿っている、項目３１の静電容量式タッチ感知デバイス。
【００８０】
項目３３．第２及び第４の接続領域が、タッチセンサの隣接する縁部に沿っている、項目３１の静電容量式タッチ感知デバイス。
【００８１】
項目３４．第２及び第４の接続領域が、タッチセンサの反対側の縁部に沿っている、項目３１の静電容量式タッチ感知デバイス。
【００８２】
項目３５．第２の接続領域に接続され、第４の接続領域には接続されないフレキシブル回路を更に備える、項目３１の静電容量式タッチ感知デバイス。
【００８３】
項目３６．第１及び第２の接続領域が、タッチセンサの同じ縁部に沿っている、項目３１の静電容量式タッチ感知デバイス。
【００８４】
項目３７．第１及び第２の接続領域が、タッチセンサの隣接する縁部に沿っている、項目３１の静電容量式タッチ感知デバイス。
【００８５】
項目３８．第１及び第２の接続領域が、タッチセンサの反対側の縁部に沿っている、項目３１の静電容量式タッチ感知デバイス。
【００８６】
項目３９．矩形状のより大きいタッチセンサから矩形状のより小さいタッチセンサを製造する方法であって、
矩形状のより大きいタッチセンサを用意することと、
より大きいタッチセンサの視認領域にわたって延び、第１の切断位置で、より大きいタッチセンサの、より大きいタッチセンサの第１及び第２の頂点で終端する第１の辺に直交する第１の切断線を決定することと、
より大きいタッチセンサの第１の頂点に、より大きいタッチセンサをより大きい基板に位置合わせするように構成された第１の位置合わせ機能部を形成することと、
第１の切断位置の近傍の第１の位置合わせ機能部とは反対側に第２の位置合わせ機能部を形成することと、
より大きいタッチセンサを第１の切断線に沿って複数の切断部分に切断することと、
第２の位置合わせ機能部を含む切断部分をより小さいタッチセンサに形成することと、
を含み、第２の位置合わせ機能部は、より小さいタッチセンサの頂点にあり、より小さいタッチセンサをより小さい基板に位置合わせするように構成された、方法。
【００８７】
項目４０．第１の位置合わせ機能部を含む切断部分を廃棄することを更に含む、項目３９の方法。
【００８８】
項目４１．第２の位置合わせ機能部を備える切断部分をより小さいタッチセンサに形成することは、
より大きいタッチセンサの視認領域にわたって延び、第２の切断位置でより大きいタッチセンサの、より大きいタッチセンサの第２及び第３の頂点で終端する第１の辺に直交する、第２の辺に直交する第２の切断線を決定することと、
より大きいタッチセンサの第３の頂点に、より大きいタッチセンサをより大きい基板に位置合わせするように構成された第３の位置合わせ機能部を形成することと、
第３の位置合わせ機能部の反対側の第２の切断位置の近傍に第４の位置合わせ機能部を形成することと、
第２の切断線に沿って複数の切断部分により大きいセンサを切り詰めることと、
第２及び第４の位置合わせ機能部を備える切断部分を、より小さいタッチセンサに形成することと、を含み、第４の位置合わせ機能部は、より小さいタッチセンサの頂点にあり、より小さいタッチセンサをより小さい基板に位置合わせするように構成された、項目３９から４０のいずれかの方法。
【００８９】
項目４２．第３の位置合わせ機能部を含む切断部分を廃棄することを更に含む、項目４１の方法。
【００９０】
本発明の様々な修正及び変更が、当業者には明らかとなるものであり、本開示の本範囲は、本明細書に記載されている例示的実施形態に限定されるものではないことを理解されたい。例えば、１つの開示実施形態の特徴は、別に記載のない限り、他の開示実施形態全てにも適用され得ることを、読者は前提とすべきである。
【図１】
2019506673.tif 000003
【図２】
2019506673.tif 000004
【図３】
2019506673.tif 000005
【図４Ａ】
2019506673.tif 000006
【図４Ｂ】
2019506673.tif 000007
【図５】
2019506673.tif 000008
【図６】
2019506673.tif 000009
【国際調査報告】
2019506673.tif 000010
2019506673.tif 000011
2019506673.tif 000012
2019506673.tif 000013
2019506673.tif 000014